(57)【要約】【課題】球面収差の補正の際、望ましくない光軸シフトの発生を防止することができる球面収差補正板と、当該球面収差補正板を備えた光ピックアップ装置を提供すること。【解決手段】球面収差補正板１９は、第１補正板３１、第２補正板３２、及び第３補正板３３を有し、第２補正板３２は駆動手段によって光軸と直交する方向へ移動可能となっている。第２補正板３２の移動にかかわらず、傾斜面３１ｂと傾斜面３２ａ、傾斜面３２ｂと傾斜面３３ｂとの距離が同一距離に保たれ、傾斜面３１ｂと傾斜面３２ａ、傾斜面３２ｂと傾斜面３３ｂとの延在方向がそれぞれ平行に維持されるため、光軸シフトの発生が防止される。【選択図】図２
2007207392.tif 000002
【特許請求の範囲】
【請求項１】
光ピックアップ装置に用いられる球面収差補正板であって、
前記球面収差補正板は、第１補正板、第２補正板、及び第３補正板を順に有し、
前記第１補正板は、光軸に対して垂直方向に延在する入射面と、光軸に対して所定角度をもって傾斜している傾斜面とを有し、
前記第３補正板は、光軸に対して垂直方向に延在する出射面と、光軸に対して前記第１補正板の傾斜面の傾斜方向とは逆方向の前記所定角度をもって傾斜している傾斜面とを有し、
前記第２補正板は、前記第１補正板の前記傾斜面と平行に延在する第１傾斜面と、前記第３補正板の前記傾斜面と平行に延在する第２傾斜面とを有し、
前記第１補正板の傾斜面と前記第２補正板の第１傾斜面との間の距離と、前記第２補正板の第２傾斜面と前記第３補正板の傾斜面との間の距離とは同距離であり、
前記第１補正板、前記第２補正板、及び前記第３補正板の屈折率は同一であり、
前記第２補正板は光軸と直交する方向へ移動可能であることを特徴とする光ピックアップ装置に用いられる球面収差補正板。
【請求項２】
前記第１補正板と前記第３補正板とは楔型の断面形状を有するプリズムであり、前記第２補正板は二等辺三角形の断面形状を有するプリズムである請求項１記載の光ピックアップ装置に用いられる球面収差補正板。
【請求項３】
前記第１補正板の入射面と傾斜面、前記第３補正板の出射面と傾斜面、及び前記第２補正板の第１傾斜面と第２傾斜面には、反射防止コートが施されている請求項１記載の光ピックアップ装置に用いられる球面収差補正板。
【請求項４】
レーザを出射する半導体レーザと、ビームスプリッタと、球面収差補正板と、コリメータレンズと、対物レンズと、光検出器とを有する光ピックアップ装置であって、
前記球面収差補正板は、前記半導体レーザと前記コリメータレンズとの間の発散光中に配置されると共に、第１補正板、第２補正板、及び第３補正板を順に有し、
前記第１補正板は、所定の光軸に対して垂直方向に延在する入射面と、光軸に対して所定角度をもって傾斜している傾斜面とを有し、
前記第３補正板は、所定の光軸に対して垂直方向に延在する出射面と、光軸に対して前記第１補正板の傾斜面の傾斜方向とは逆方向の所定角度をもって傾斜している傾斜面とを有し、
前記第２補正板は、前記第１補正板の前記傾斜面と平行に延在する第１傾斜面と、前記第２補正板の前記傾斜面と平行に延在する第２傾斜面とを有し、
前記第１補正板の傾斜面と前記第２補正板の第１傾斜面との間の距離と、前記第２補正板の第２傾斜面と前記第３補正板の傾斜面との間の距離とは同距離であり、
前記第１補正板、前記第２補正板、及び前記第３補正板の屈折率は同一であり、
前記第２補正板は光軸と直交する方向へ移動可能であることを特徴とする光ピックアップ装置。
【請求項５】
前記第１補正板と前記第３補正板とは楔型の断面形状を有するプリズムであり、前記第２補正板は二等辺三角形の断面形状を有するプリズムである請求項４記載の光ピックアップ装置。
【請求項６】
前記第１補正板の入射面と傾斜面、前記第３補正板の出射面と傾斜面、及び前記第２補正板の第１傾斜面と第２傾斜面には、反射防止コートが施されている請求項４記載の光ピックアップ装置。
【請求項７】
前記光ピックアップ装置により読み取られる光ディスクはBlue-rayディスクである請求項４記載の光ピックアップ装置。
【発明の詳細な説明】
【技術分野】
【０００１】
本発明は、光ピックアップ装置に用いられる球面収差補正板及び光ピックアップ装置に関する。
【背景技術】
【０００２】
周知のように、光ピックアップ装置は、半導体レーザから出射されたレーザを対物レンズによって光ディスクの信号記録面に集光し、その信号記録面からの戻り光を光検出手段である光検出器で検出する装置である。
【０００３】
例えば、光ディスクがBlue-rayディスクなどの高密度な光ディスクの場合、合焦時の光ディスクの信号記録面上でのレーザビームのスポットサイズを小さくする必要がある。このため、発光源であるレーザダイオードの波長を短くし、対物レンズの開口数ＮＡを大きくする手法がとられる。レーザダイオードの波長は、例えば、４０５ｎｍであり、対物レンズの開口数ＮＡは、例えば、０．８５である。
【０００４】
その場合、合焦時のスポットサイズは、例えば、直径φが０．３５μｍのように、小さくなる。しかしながら、光ディスクのディスク厚のばらつきにより球面収差が発生し、光ディスクの信号記録面上でのレーザビームのスポットサイズが大きくなってしまう。尚、この技術分野において周知のように、光ディスクの「ディスク厚」とは、光ディスクにおけるレーザビームの入射面と信号記録面との間の距離をいう。Blue-rayディスクのディスク厚は、０．１±０．００２ｍｍと規格で決められている。また、「球面収差」とは、光軸上の１点から出た光線がレンズを通った後、軸上の１点に集まらないで前後にずれる現象をいう。具体的に述べると、例えば、レンズに平行光が入射した場合に、その光軸近傍の光線と光軸から離れた光線とが異なる軸上の位置で焦点を結ぶことをいう。そのため、再生ジッタ、自己録再ジッタが悪化してしまう
そこで特許出願人は、光ディスクのディスク厚にばらつきがある場合でも球面収差を小さくすることができる光ピックアップ装置を開発し特許出願（特許文献１）を行った。
【０００５】
図５に示すこの光ピックアップ装置は、半導体レーザ（レーザダイオード）１１３と、回折格子と１１５、偏光ビームスプリッタ１１７と、球面収差補正板１１９と、コリメータレンズ１２１と、立上げミラー（保持ミラー）１２３と、１／４波長板１２５と、対物レンズ１２７と、センサレンズ１２９と、光検出器（フォトダイオード）１３０とを有する。
【０００６】
この光ピックアップ装置においては、半導体レーザ１１３から出射された１本のレーザが回折格子１１５により主レーザと２つの副レーザに分離され、偏光ビームスプリッタ１１７と球面収差補正板１１９とを透過し、コリメータレンズ１２１で平行光にされる。そして、コリメータレンズ１２１からの平行光は、立上げミラー１２３の反射面で反射されることにより直角に折り曲げられ、１／４波長板１２５で直線偏光から円偏光とされ、対物レンズ１２７を介して光ディスク１１１の信号記録面へ集光（照射）される。
【０００７】
光ディスク１１１の信号記録面からの反射光（戻り光）は、対物レンズ１２７を通過し、１／４波長板１２５で偏光方向が往路の偏光方向に対して９０°曲げられ、立上げミラー１２３の反射面で反射されることにより直角に折り曲げられ、コリメータレンズ１２１および球面収差補正板１１９を通過し、偏光ビームスプリッタ１１７で反射され、センサレンズ１２９を通して光検出器１３０で検出される。
【０００８】
図６に示すように、球面収差補正板１１９は、互いに斜面１３３ａ、１３５ａ同士が対向した状態で配置された２枚の楔形板１３３、１３５からなる。２枚の楔形板１３３、１３５は一定の屈折率を持ち、図示しない駆動手段よって、それぞれ相対的に光軸と直交する方向（図５において矢印によって示されている方向）へ移動される。
【０００９】
そして、光ディスク１１１のディスク厚が規定（０．１ｍｍ）より厚い場合（図６（ａ）参照）、ディスク厚が規定（０．１ｍｍ）の場合（図６（ｂ）参照）、ディスク厚が規定（０．１ｍｍ）より薄い場合（図６（ｃ）参照）において、２枚の楔型板１３３、１３５を互いに接近や離間するように移動することにより、コリメータレンズ１２１から出射される光を発散光や収束光に変化させ、光ディスク１１１の異なるディスク厚によって生じる球面収差と逆の球面収差を与えて、球面収差をキャンセルしている。
【００１０】
【特許文献１】特開２００５−７１５４４号公報
【発明の開示】
【発明が解決しようとする課題】
【００１１】
２枚の楔型板１３３、１３５を有する上記の球面収差補正板１１９では、図７に示すような望ましくない光軸シフトが発生する場合がある。この光軸シフトは、２枚の楔型板１３３、１３５のそれぞれの移動量が異なる場合に生じる。この２枚の楔型板１３３、１３５のそれぞれの移動量を正確に管理するためには、これら楔型板の駆動手段の精度を向上させる必要があり、光ピックアップ装置の製造コストの上昇を招くという問題がある。
【００１２】
そこで、本発明は、球面収差の補正の際、望ましくない光軸シフトの発生を防止することができる球面収差補正板と、当該球面収差補正板を備えた光ピックアップ装置を提供することを目的とする。
【課題を解決するための手段】
【００１３】
本発明に係る光ピックアップ装置に用いられる球面収差補正板は、光ピックアップ装置に用いられる球面収差補正板であって、前記球面収差補正板は、第１補正板、第２補正板、及び第３補正板を順に有し、前記第１補正板は、光軸に対して垂直方向に延在する入射面と、光軸に対して所定角度をもって傾斜している傾斜面とを有し、前記第３補正板は、光軸に対して垂直方向に延在する出射面と、光軸に対して前記第１補正板の傾斜面の傾斜方向とは逆方向の前記所定角度をもって傾斜している傾斜面とを有し、前記第２補正板は、前記第１補正板の前記傾斜面と平行に延在する第１傾斜面と、前記第３補正板の前記傾斜面と平行に延在する第２傾斜面とを有し、前記第１補正板の傾斜面と前記第２補正板の第１傾斜面との間の距離と、前記第２補正板の第２傾斜面と前記第３補正板の傾斜面との間の距離とは同距離であり、前記第１補正板、前記第２補正板、及び前記第３補正板の屈折率は同一であり、前記第２補正板は光軸と直交する方向へ移動可能であることを特徴とする。
【００１４】
さらに、本発明に係る光ピックアップ装置に用いられる球面収差補正板は、前記第１補正板と前記第３補正板とが楔型の断面形状を有するプリズムであり、前記第２補正板は二等辺三角形の断面形状を有するプリズムであることが好ましい。
【００１５】
さらに、本発明に係る光ピックアップ装置に用いられる球面収差補正板は、前記第１補正板の入射面と傾斜面、前記第３補正板の出射面と傾斜面、及び前記第２補正板の第１傾斜面と第２傾斜面には、反射防止コートが施されていることが好ましい。
【００１６】
さらに、本発明に係る光ピックアップ装置は、レーザを出射する半導体レーザと、ビームスプリッタと、球面収差補正板と、コリメータレンズと、対物レンズと、光検出器とを有する光ピックアップ装置であって、前記球面収差補正板は、前記半導体レーザと前記コリメータレンズとの間の発散光中に配置されると共に、第１補正板、第２補正板、及び第３補正板を順に有し、前記第１補正板は、所定の光軸に対して垂直方向に延在する入射面と、光軸に対して所定角度をもって傾斜している傾斜面とを有し、前記第３補正板は、所定の光軸に対して垂直方向に延在する出射面と、光軸に対して前記第１補正板の傾斜面の傾斜方向とは逆方向の所定角度をもって傾斜している傾斜面とを有し、前記第２補正板は、前記第１補正板の前記傾斜面と平行に延在する第１傾斜面と、前記第２補正板の前記傾斜面と平行に延在する第２傾斜面とを有し、前記第１補正板の傾斜面と前記第２補正板の第１傾斜面との間の距離と、前記第２補正板の第２傾斜面と前記第３補正板の傾斜面との間の距離とは同距離であり、前記第１補正板、前記第２補正板、及び前記第３補正板の屈折率は同一であり、前記第２補正板は光軸と直交する方向へ移動可能であることを特徴とする。
【００１７】
さらに、本発明に係る光ピックアップ装置は、前記第１補正板と前記第３補正板とが楔型の断面形状を有するプリズムであり、前記第２補正板は二等辺三角形の断面形状を有するプリズムであることが好ましい。
【００１８】
さらに、本発明に係る光ピックアップ装置は、前記第１補正板の入射面と傾斜面、前記第３補正板の出射面と傾斜面、及び前記第２補正板の第１傾斜面と第２傾斜面には、反射防止コートが施されていることが好ましい。
【００１９】
さらに、本発明に係る光ピックアップ装置は、前記光ピックアップ装置により読み取られる光ディスクはBlue-rayディスクであることが好ましい。
【発明の効果】
【００２０】
請求項１記載の本発明によれば、第１補正板の傾斜面と第２補正板の第１傾斜面との間の距離と、第２補正板の第２傾斜面と第３補正板の傾斜面との間の距離とが同距離であり、第１補正板、第２補正板、及び第３補正板の屈折率は同一であり、第２補正板は光軸と直交する方向へ移動可能であるため、第２補正板が移動しても、第１補正板の傾斜面と第２補正板の第１傾斜面とが、また第２補正板の第２傾斜面と第３補正板の傾斜面とが常に平行に保たれる。このため光軸シフトの発生を防止することができる。また、第２補正板のみを移動させることにより、光軸シフトを発生することなく球面収差補正板の実効板厚を変更することができる。さらに、光軸シフトを発生することなく球面収差補正板の駆動を単一の駆動手段で実現することができる。従って、球面収差補正板の移動精度を容易に管理することができ、製造コストの上昇を回避することができる。
【００２１】
請求項２記載の本発明によれば、第１補正板と第３補正板とは楔型の断面形状を有するプリズムであり、第２補正板は二等辺三角形の断面形状を有するプリズムであるため、一般的なプリズムの形態を用いることができる。このため球面収差補正板の製造コストの上昇を回避することができる。
【００２２】
請求項３記載の本発明によれば、第１補正板の入射面と傾斜面、第３補正板の出射面と傾斜面、及び第２補正板の第１傾斜面と第２傾斜面には、反射防止コートが施されているため、反射防止コートによってレーザの望ましくない反射を防止することができる。
【発明を実施するための最良の形態】
【００２３】
以下、図面を参照して、本発明の実施の形態について詳細に説明する。図１を参照しつつ、本発明の実施形態に係る球面収差補正板１９を含む光ピックアップ装置１について説明する。光ピックアップ装置１は、光ディスク（光学的記録媒体）１１の再生を行う装置である。光ディスク１１は、ディスク厚が０．１±０．００２ｍｍと規格で決められているBlue-rayディスクである。
【００２４】
光ピックアップ装置１は、無限光学系で構成された光ピックアップ装置であって、半導体レーザ（レーザダイオード）１３と、回折格子１５と、偏光ビームスプリッタ１７と、本発明に係る球面収差補正板１９と、コリメータレンズ２１と、立上げミラー（保持ミラー）２３と、１／４波長板２５と、対物レンズ２７と、センサレンズ２９と、光検出器（フォトダイオード）３０とを有する。本実施形態においては、半導体レーザ１３から出射されるレーザの発振波長は４０５ｎｍである。また、対物レンズ２７の開口数ＮＡは０．８５である。
【００２５】
球面収差補正板１９は、光検出器３０の合焦位置が変わらないように、偏光ビームスプリッタ１７とコリメータレンズ２１との間に挿入されている。しかしながら、必ずしもこれに限定されず、球面収差補正板１９は、半導体レーザ１３とコリメータレンズ２１との間の発散光中に介挿されていれば良い。
【００２６】
図２は、本実施形態に係る球面収差補正板１９を示しており、図２（ａ）は光ディスク１１のディスク厚が規定（０．１ｍｍ）より厚い場合における球面収差補正板１９の状態を示し、図２（ｂ）は光ディスク１１のディスク厚が規定（０．１ｍｍ）の場合（基準の場合）における球面収差補正板１９の状態を示し、図２（ｃ）は光ディスク１１のディスク厚が規定（０．１ｍｍ）より薄い場合における球面収差補正板１９の状態を示している。
【００２７】
この球面収差補正板１９は、光ピックアップ装置１に用いられる球面収差補正板１９であって、球面収差補正板１９は、第１補正板３１、第２補正板３２、及び第３補正板３３を順に有し、第１補正板３１は、光軸に対して垂直方向に延在する入射面３１ａと、光軸に対して所定角度をもって傾斜している傾斜面３１ｂとを有し、第３補正板３３は、光軸に対して垂直方向に延在する出射面３３ａと、光軸に対して第１補正板３１の傾斜面３１ｂの傾斜方向とは逆方向の前記所定角度をもって傾斜している傾斜面３３ｂとを有し、第２補正板３２は、第１補正板３１の傾斜面３１ｂと平行に延在する第１傾斜面３２ａと、第３補正板３３の傾斜面３３ｂと平行に延在する第２傾斜面３２ｂとを有し、第１補正板３１の傾斜面３１ｂと第２補正板３２の第１傾斜面３２ａとの間の距離と、第２補正板３２の第２傾斜面３２ｂと第３補正板３３の傾斜面３３ｂとの間の距離とは同距離であり、第１補正板３１、第２補正板３２、及び第３補正板３３の屈折率は同一であり、第２補正板３２は光軸と直交する方向へ移動可能であることを特徴とする。
【００２８】
第１補正板３１と第３補正板３３とは楔型の断面形状を有するプリズムであり、第２補正板３２は二等辺三角形の断面形状を有するプリズムである。このため、一般的なプリズムの形態を用いることができ、球面収差補正板１９の製造コストの上昇を回避することができる。また、これらプリズムはガラス製や樹脂製等の透明な光学部材であり、同一の屈折率を有している。さらに、第１補正板３１の入射面３１ａと傾斜面３１ｂ、第３補正板３３の出射面３３ａと傾斜面３３ｂ、及び第２補正板３２の第１傾斜面３２ａと第２傾斜面３２ｂには、反射防止コートが施されている。これらの反射防止コートによってレーザの望ましくない反射を防止することができる。
【００２９】
第１補正板３１は、その入射面３１ａが光軸に対して垂直方向に延在するように固定されている。同様に、第３補正板３３は、その出射面３３ａが光軸に対して垂直方向に延在するように固定されている。一方、第２補正板３２は、図２（ａ）〜（ｃ）に示されているように、図示しない駆動手段によって光軸と直交する方向へ移動可能となっている。このため、第１補正板３１の傾斜面３１ｂと第２補正板３２の第１傾斜面３２ａとの間の距離と、第２補正板３２の第２傾斜面３２ｂと第３補正板３３の傾斜面３３ｂとの間の距離とは、第２補正板３２が移動した場合においても常に同距離である。また、第１補正板３１の傾斜面３１ｂと第２補正板３２の第１傾斜面３２ａとの間と、第２補正板３２の第２傾斜面３２ｂと第３補正板３３の傾斜面３３ｂとの間とは、第２補正板３２が移動した場合においても常に平行に保たれている。
【００３０】
以下、本実施形態の光ピックアップ装置１の作用効果について説明する。図1に示すように、半導体レーザ１３から出射された１本のレーザが回折格子１５により主レーザと２つの副レーザに分離され、偏光ビームスプリッタ１７と球面収差補正板１９とを透過し、コリメータレンズ２１で平行光にされる。尚、後述するように、コリメータレンズ２１から出射される光は厳密には平行光ではなく、球面収差補正板１９の実効板厚によって、発散光になったり収束光になったりする。ここで、「実効板厚」とは、必ずしも物理的な板厚のみを指すのではなく、実効的に屈折率として作用する板の厚さのことを指す。
【００３１】
コリメータレンズ２１からの平行光は、立上げミラー２３の反射面で反射されることにより直角に折り曲げられ、１／４波長板２５で直線偏光から円偏光とされ、対物レンズ２７を介して光ディスク１１の信号記録面へ集光（照射）される。
【００３２】
光ディスク１１の信号記録面からの反射光（戻り光）は、対物レンズ２７を通過し、１／４波長板２５で偏光方向が往路の偏光方向に対して９０°曲げられ、立上げミラー２３の反射面で反射されることにより直角に折り曲げられ、コリメータレンズ２１および球面収差補正板１９を通過し、偏光ビームスプリッタ１７で反射され、センサレンズ２９を通して光検出器３０で検出される。
【００３３】
次に、球面収差補正板１９の作用について図２を参照しつつ説明する。先ず、光ディスク１１のディスク厚が規定の０．１ｍｍである場合（基準の場合）、図２（ｂ）に示されるように、第２補正板３２は駆動手段によって駆動されない。したがって、球面収差補正板１９は、規定（基準）の実効板厚を持つ。この場合、コリメータレンズ２１から出射される光は平行光となるので、対物レンズ２７には平行光が入射される。これにより、対物レンズ２７からの光を、光ディスク１１の信号記録面へ集光（照射）させることができる。
【００３４】
光ディスク１１のディスク厚が規定の０．１ｍｍより厚い場合には、図２（ａ）に矢印によって示されるように、駆動手段によって第２補正板３２が第１補正板３１及び第３補正板３３へ近付く方向へ移動される。これにより、球面収差補正板１９の実効板厚が基準のとき（図２（ｂ）に示す場合）よりも厚くなる。この場合、コリメータレンズ２１から出射される光は発散光となるので、対物レンズ２７には発散光が入射される。これにより、対物レンズ２７からの光を、光ディスク１１の信号記録面へ集光（照射）させることができる。
【００３５】
光ディスク１１のディスク厚が規定の０．１ｍｍより薄い場合、図２（ｃ）において矢印で示されるように、駆動手段によって第２補正板３２が第１補正板３１及び第３補正板３３へ遠ざかる方向へ移動される。これにより、球面収差補正板１９の実効板厚が基準のとき（図２（ｂ））よりも薄くなる。この場合、コリメータレンズ２１から出射される光は収束光となるので、対物レンズ２７には収束光が入射される。これにより、対物レンズ２７からの光を、光ディスク１１の信号記録面へ集光（照射）させることができる。
【００３６】
このように、本発明では、対物レンズ２７に入射する無限光学系の光の平行度を変えることによって、光ディスク１１の異なるディスク厚によって生じる球面収差と逆の球面収差を与えて、球面収差をキャンセルする。
【００３７】
本実施形態の球面収差補正板１９は、図３に示すように、第２補正板３２の移動により球面収差補正板１９の実効板厚が変更されても光軸シフトが発生しない。これは、第１補正板３１、第２補正板３２、及び第３補正板３３の屈折率が同一であり、第２補正板３２が移動しても、第１補正板３１の傾斜面３１ｂと第２補正板３２の第１傾斜面３２ａとの間の距離と、第２補正板３２の第２傾斜面３２ｂと第３補正板３３の傾斜面３３ｂとの間の距離とが同一距離に保たれ、また、傾斜面３１ｂと傾斜面３２ａ、傾斜面３２ｂと傾斜面３３ｂとの延在方向がそれぞれ平行に維持されるためである。
【００３８】
このように、本発明においては、第２補正板３２のみを移動させることにより、光軸シフトを発生することなく球面収差補正板１９の実効板厚を変更することができる。従って、球面収差補正板１９の駆動を単一の駆動手段で実現することができ、また、球面収差補正板１９の移動精度を容易に管理することができる。このため、光ピックアップ装置全体の製造コストの上昇を回避することができる。
【００３９】
次に、光ディスク１１のディスク厚に応じて、球面収差補正板１９の実効板厚を最適な厚さにする方法について説明する。
【００４０】
ここでは、図１に示す光ピックアップ装置において光ディスク１１に信号（データ）を記録させる場合について説明する。この場合、光ディスク１１にデータを記録させる始めに、球面収差補正板１９の第２補正板３２を動かし、自己録再ジッタ又はクロストークが最も小さくなる部分を検知し、球面収差補正板１９の実効板厚を最適な厚さにする。そのために、予め球面収差補正板１９の第２補正板を動かして光ディスク１１にテスト記録を行い、再生して判断する。
【００４１】
また、次に述べるような別の方法を採用しても良い。すなわち、球面収差が増加すると、一般的に光ディスク１１の信号記録面でのレーザビームのスポットの一次リングが増加する傾向がある。そこで、別途センサ（図示せず）でこの一次リングの増加量を検知し、この一次リングの増加量を補正する回路（図示せず）を設けて、球面収差補正板１９の実効板厚を最適な厚さにする。
【００４２】
次に、球面収差補正板１９の駆動手段の一例について述べる。球面収差補正板１９の第２補正板３２をホルダ等に収容し、そのホルダ等にコイルを設ける。一方、筐体側にマグネットを取り付ける。そして、ホルダ側のコイルに電流を流すことで、球面収差補正板１９を可動させる。
【００４３】
また、駆動手段の他の例としては、モータ等を用いて球面収差補正板１９の第２補正板３２を移動させる方法を採用しても良い。
【００４４】
尚、光ディスク１１のディスク厚は、光ディスク毎に異なる場合と、１枚の光ディスクの場所（例えば、半径位置）毎に異なる場合とが想定され得る。
【００４５】
前者の場合、当該光ディスクの平均的なディスク厚を検出し、その検出結果に基づいて球面収差補正板１９の実効板厚を変化させる。
【００４６】
後者の場合には、次の２つの補正方法を採用することが可能である。第１の補正方法は、記録・再生する前に予め光ディスク１１を光ピックアップ装置で半径方向にスキャン（シーク）して、光ディスク１１の半径位置毎のディスク厚を検出し、その検出結果を光ディスクの半径位置をアドレスとしてメモリ（図示せず）に記憶しておく。そして、実際に記録・再生するときに、光ディスク１１の実際の半径位置をアドレスとしてそのメモリにアクセスして、そのときのディスク厚を得、その得られたディスク厚に基いて球面収差補正板１９の実効板厚を変化させる。第２の補正方法は、実時間で光ディスクの光ピックアップ装置のシーク位置でのディスク厚を検出し、その検出結果に基づいて実時間で球面収差補正板１９の実効板厚を変化させる。
【００４７】
このように、後者の場合には、１つの光ディスクのわずかなディスク厚の変化に起因する球面収差を補正することができる。
【００４８】
また、検出した光ディスク１１のディスク厚に基づいて、球面収差補正板１９の実効板厚を変化させる場合には、例えば、次の方法を採用することができる。図４に図示した光ディスクのディスク厚と球面収差が最小となる球面収差補正板１９の実効板厚との関係を示すデータを、光ディスクのディスク厚をアドレスとしてＲＯＭ（図示せず）に予め記憶しておく。実際に、光ディスク１１の記録・再生を行うときに、このＲＯＭをアクセスすることでそのときに最適な球面収差補正板１９の実効板厚を求め、その求めた実効板厚に基いて実際の球面収差補正板１９の実効板厚を調整する。
【００４９】
更に、光ディスク１１のディスク厚を検出する方法（手段）として、種々のものを採用することができる。例えば、そのような検出方法（手段）は、特開２００３−１６６６０号公報、特開２００３−２２５４５号公報、特開２００３−１０９２３９号公報などに開示されている。
【００５０】
以上、本発明について実施の形態によって例を挙げて説明してきたが、本発明は上述した実施の形態に限定しないのは勿論である。例えば、上記実施形態では、Blu-rayディスクの大容量光ディスクを例に説明をしたが、その他CD、DVD用等で使用される光ピックアップ装置にも適用できる。また、上記実施形態では、本発明の球面収差補正板１９を図１に図示された光ピックアップ装置１に適用した場合について説明しているが、少なくとも半導体レーザと、ビームスプリッタと、コリメータレンズと、対物レンズと、光検出器とを備えた光ピックアップ装置に適用できる。
【図面の簡単な説明】
【００５１】
【図１】本発明の実施形態に係る球面収差補正板１９が用いられる光ピックアップ装置１の光学系を示す説明図である。
【図２】図１に示す球面収差補正板１９の各状態を示す説明図であり、（ａ）は光ディスク１１のディスク厚が規定より厚い場合、（ｂ）は光ディスク１１のディスク厚が規定の場合、（ｃ）は光ディスク１１のディスク厚が規定より薄い場合を示している。
【図３】図１に示す球面収差補正板１９の光軸シフトに関する説明図である。
【図４】光ディスク１１のディスク厚と球面収差が最小となる球面収差補正板の実効板厚との関係の一例を示すグラフである。
【図５】従来の球面収差補正板１１９が用いられる光ピックアップ装置１００の光学系を示す説明図である。
【図６】図５に示す球面収差補正板１１９の各状態を示す説明図であり、（ａ）は光ディスク１１１のディスク厚が規定より厚い場合、（ｂ）は光ディスク１１１のディスク厚が規定の場合、（ｃ）は光ディスク１１１のディスク厚が規定より薄い場合を示している。
【図７】図５に示す球面収差補正板１１９の光軸シフトに関する説明図である。
【符号の説明】
【００５２】
１、１００  光ピックアップ装置
１１、１１１  光ディスク
１３、１１３  半導体レーザ（レーザダイオード）
１５、１１５  回折格子
１７、１１７  偏光ビームスプリッタ
１９、１１９  球面収差補正板
２１、１２１  コリメータレンズ
２３、１２３  立上げミラー（保持ミラー）
２５、１２５  １／４波長板
２７、１２７  対物レンズ
２９、１２９  センサレンズ
３０、１３０  光検出器（フォトダイオード）
３１  第１補正板
３２  第２補正板
３３  第３補正板
３１ａ  入射面
３１ｂ、３２ａ、３２ｂ、３３ｂ  傾斜面
３３ａ  出射面
１３３、１３５  楔形板
１３３ａ、１３５ａ  斜面
【図１】
2007207392.tif 000003
【図２】
2007207392.tif 000004
【図３】
2007207392.tif 000005
【図４】
2007207392.tif 000006
【図５】
2007207392.tif 000007
【図６】
2007207392.tif 000008
【図７】
2007207392.tif 000009